(57)【要約】【課題】簡単な操作で所定の通報先に緊急事態の発生を通報できるのはもとより、操作ミスによる誤通報を抑制でき、しかも特に警察に通報した場合に、警察から折り返しの電話がかかってくるのを防止した緊急通報システム等を提供する。【解決手段】複数個の通報先の中から、メッセージを通報する通報先をユーザが選択可能な選択スイッチ１０と、複数個の通報指示スイッチ１１、１２と、複数個の通報指示スイッチ１１、１２の全てが操作された場合にのみ、選択スイッチ１０で選択された通報先にメッセージを有線及び無線で通報するための通報信号を出力する通報信号出力手段１８と、を有するリモコン端末１を備える。さらに、前記通報信号出力手段１８から出力された通報信号に基づいて、前記メッセージを前記通報先に有線にて通報する有線通信手段２３と、無線にて通報する無線通信手段２４と、を備え、少なくとも警察へのメッセージの通報は、通報元の通信回線番号が不明な状態で行われるか、または通報元への折り返し通話をしない旨の依頼内容がメッセージに含まれている状態で行われる。【選択図】  図３
2005242764.tif 000002
【特許請求の範囲】
【請求項１】
緊急時に、少なくとも警察を含む複数個の通報先に、予め作成されたメッセージを通報可能な緊急通報システムであって、
前記複数個の通報先の中から、前記メッセージを通報する通報先をユーザが選択可能な選択スイッチと、複数個の通報指示スイッチと、前記複数個の通報指示スイッチの全てが操作された場合にのみ、前記選択スイッチで選択された通報先に前記メッセージを有線及び無線で通報するための通報信号を出力する通報信号出力手段と、を有するリモコン端末と、
前記通報信号出力手段から出力された通報信号に基づいて、前記メッセージを前記通報先に有線にて通報する有線通信手段と、
前記通報信号出力手段から出力された通報信号に基づいて、前記メッセージを前記通報先に無線にて通報する無線通信手段と、
を備えるとともに、
少なくとも前記警察へのメッセージの通報は、通報元の通信回線番号が不明な状態で行われるか、または通報元への折り返し通話をしない旨の依頼内容がメッセージに含まれている状態で行われることを特徴とする緊急通報システム。
【請求項２】
前記有線通信手段及び無線通信手段による通報先へのメッセージの通報から一定時間経過後に、所定のメッセージを報知する報知手段が設けられている請求項１に記載の緊急通報システム。
【請求項３】
玄関ドアの開錠及び施錠を無線遠隔操作により制御可能な電子錠を備え、前記有線通信手段及び無線通信手段による通報先へのメッセージの通報後に、前記電子錠により玄関ドアが開錠されるものとなされている請求項１または２に記載の緊急通報システム。
【請求項４】
スプリンクラーを備え、前記有線通信手段及び無線通信手段による通報先へのメッセージの通報後に、前記スプリンクラーが作動するものとなされている請求項１ないし３のいずれか１項に記載の緊急通報システム。
【請求項５】
前記リモコン端末に、前記報知手段によるメッセージの報知を行わせるか否かを設定する設定スイッチが設けられている請求項２に記載の緊急通報システム。
【請求項６】
前記リモコン端末に、前記電子錠による玄関ドアの開錠動作を行わせるか否かを設定する設定スイッチが設けられている請求項３に記載の緊急通報システム。
【請求項７】
前記リモコン端末に、前記スプリンクラーを作動させるか否かを設定する設定スイッチが設けられている請求項４に記載の緊急通報システム。
【請求項８】
請求項１〜６のいずれか１項に記載の緊急通報システムに用いられるリモコン端末。
【発明の詳細な説明】
【技術分野】
【０００１】
この発明は、例えば１人暮らしの高齢者、独身女性、病弱者等が使用するのに好適な緊急通報システム及びこのシステムに用いられるリモコン端末に関する。
【背景技術】
【０００２】
少子高齢化が進むにつれ１人暮らしの高齢者世帯が増加しており、本人はもとより離れて暮らす家族にとっても、緊急時に簡単な操作で所定の連絡場所に緊急事態が発生したことを通報するシステムが存在すると心強い。また、家屋侵入犯罪が増加していることから、一人暮らしの独身女性や病弱者、あるいは一般家庭等においても、このようなシステムに対する要望は強い。
【０００３】
従来、このような緊急通報システムとして、通報スイッチを入れると指定された通報先を呼び出し、通話状態になると録音されたメッセージが再生され、終了すると元の状態に戻るようにした電話回線による緊急通報装置が知られている（特許文献１）。
【０００４】
また、強盗など緊急事態が発生したときに、予め記録しておいたメッセージデータを予め登録しておいた通報先に携帯電話により送信できる店舗用の緊急通報システムも知られている（特許文献２）。
【特許文献１】特開平９−６２９７２号公報
【特許文献２】特開２００１−２３０６７号公報
【発明の開示】
【発明が解決しようとする課題】
【０００５】
しかしながら、上記のような従来の緊急通報システムは、誤って通報スイッチを押してしまった場合、緊急でないにもかかわらず通報先にメッセージが送信されてしまうという欠点があった。
【０００６】
また、特に不審者の侵入により警察（１１０番）に通報した場合に、警察から確認等のための折り返しの電話がかかってくると、それによって侵入者が通報されたことを知ることにもなり、かえって状況が悪化する恐れがある、というような問題があった。
【０００７】
この発明は、このような事情に鑑みてなされたものであって、簡単な操作で所定の通報先に緊急事態の発生を通報できるのはもとより、誤作動による誤通報を抑制でき、しかも特に警察に通報した場合に、警察から折り返しの電話がかかってくるのを防止した緊急通報システムを提供すること、及びこのシステムに用いられるリモコン端末を提供することを課題とする。
【課題を解決するための手段】
【０００８】
上気課題を解決するために、この発明は、以下の手段を提供する。
（１）緊急時に、少なくとも警察を含む複数個の通報先に、予め作成されたメッセージを通報可能な緊急通報システムであって、前記複数個の通報先の中から、前記メッセージを通報する通報先をユーザが選択可能な選択スイッチと、複数個の通報指示スイッチと、前記複数個の通報指示スイッチの全てが操作された場合にのみ、前記選択スイッチで選択された通報先に前記メッセージを有線及び無線で通報するための通報信号を出力する通報信号出力手段と、を有するリモコン端末と、前記通報信号出力手段から出力された通報信号に基づいて、前記メッセージを前記通報先に有線にて通報する有線通信手段と、前記通報信号出力手段から出力された通報信号に基づいて、前記メッセージを前記通報先に無線にて通報する無線通信手段と、を備えるとともに、少なくとも前記警察へのメッセージの通報は、通報元の通信回線番号が不明な状態で行われるか、または通報元への折り返し通話をしない旨の依頼内容がメッセージに含まれている状態で行われることを特徴とする緊急通報システム。
（２）前記有線通信手段及び無線通信手段による通報先へのメッセージの通報から一定時間経過後に、所定のメッセージを報知する報知手段が設けられている前項１に記載の緊急通報システム。
（３）玄関ドアの開錠及び施錠を無線遠隔操作により制御可能な電子錠を備え、前記有線通信手段及び無線通信手段による通報先へのメッセージの通報後に、前記電子錠により玄関ドアが開錠されるものとなされている前項１または２に記載の緊急通報システム。
（４）スプリンクラーを備え、前記有線通信手段及び無線通信手段による通報先へのメッセージの通報後に、前記スプリンクラーが動作するものとなされている前項１ないし３のいずれか１項に記載の緊急通報システム。
（５）前記リモコン端末に、前記報知手段によるメッセージの報知を行わせるか否かを設定する設定スイッチが設けられている前項２に記載の緊急通報システム。
（６）前記リモコン端末に、前記電子錠による玄関ドアの開錠動作を行わせるか否かを設定する設定スイッチが設けられている前項３に記載の緊急通報システム。
（７）前記リモコン端末に、前記スプリンクラーを作動させるか否かを設定する設定スイッチが設けられている前項４に記載の緊急通報システム。
（８）前項１〜６のいずれか１項に記載の緊急通報システムに用いられるリモコン端末。
【発明の効果】
【０００９】
前項（１）に係る発明によれば、複数個の通報先の中からユーザが設定した通報先にメッセージが通報されるから、緊急事態の発生を直ちに通報先に知らせることができ、事件や事故等を未然に防止でき、あるいは被害の拡大を防止できる。
【００１０】
しかも、複数個の通報指示スイッチの全てが操作された場合にのみ、前記選択スイッチで選択された通報先に前記メッセージが有線及び無線で通報されるから、誤作動などにより１個の通報指示スイッチがオンになっても通報されず、従ってユーザが確実に通報したい場合だけメッセージを通報することができ、通報の信頼性を増大することができる。
【００１１】
また、通報は有線及び無線の両方で行われるから、一方の回線が使用できない場合であっても他方の回線により通報を行うことができ、確実性を向上することができる。
【００１２】
さらに、少なくとも前記警察へのメッセージの通報は、通報元の通信回線番号が不明な状態で行われるか、または通報元への折り返し通話をしない旨の依頼内容がメッセージに含まれている状態で行われるから、通報に対する警察からの折り返しの通話連絡はなく、従って不審侵入者に警察へ通報したことが知られるのを防止でき、状況の悪化を防止することができる。
【００１３】
前項（２）に係る発明によれば、有線通信手段及び無線通信手段による通報先へのメッセージの通報から一定時間経過後に、所定のメッセージを報知する報知手段が設けられているから、例えば恰も警察が駆けつけるかのような威嚇用メッセージを報知することにより、侵入者等を早期に退出させることができる。
【００１４】
前項（３）に係る発明によれば、玄関ドアの開錠及び施錠を無線遠隔操作により制御可能な電子錠を備え、前記有線通信手段及び無線通信手段による通報先へのメッセージの通報後に、前記電子錠により玄関ドアが開錠されるものとなされているから、外部からの救護者は家屋へ容易に入ることができ、救護活動を早く行うことができる。
【００１５】
前項（４）に係る発明によれば、スプリンクラーを備え、前記有線通信手段及び無線通信手段による通報先へのメッセージの通報後に、前記スプリンクラーが動作するものとなされているから、特に火災の場合には、通報後にスプリンクラーが自動的に動作し、火災の拡大をくい止めることができる。
【００１６】
前項（５）に係る発明によれば、前記リモコン端末に、前記報知手段によるメッセージの報知を行わせるか否かを設定する設定スイッチが設けられているから、ユーザは、通報後に所定のメッセージの報知を行わせるか否かをリモコン端末により設定することができる。
【００１７】
前項（６）に係る発明によれば、前記電子錠による玄関ドアの開錠動作を行わせるか否かを設定する設定スイッチが設けられているから、ユーザは、通報後に玄関ドアを自動開錠するか否かをリモコン端末により設定することができる。
【００１８】
前項（７）に係る発明によれば、前記リモコン端末に、前記スプリンクラーを作動させるか否かを設定する設定スイッチが設けられているから、ユーザは、通報後にスプリンクラーを作動させるか否かをリモコン端末により設定することができる。
【００１９】
前項（８）に係る発明によれば、前項（１）〜（７）のいずれかに記載されたような緊急通報システムの構築が可能となる。
【発明を実施するための最良の形態】
【００２０】
以下、この発明の一実施形態を説明する。
【００２１】
図１は、この発明の一実施形態に係る緊急通報システムを用いて通報を行う場合の説明図である。
【００２２】
図１において、１００はユーザの家屋、１はユーザが操作するリモコン端末、２は家屋１００内に設置された制御装置であり、リモコン端末１と制御装置２とで緊急通報システムＡが構成される。
【００２３】
３は公衆電話回線網であり、後述するように、制御装置２の有線回線コントローラ及び無線回線コントローラによって制御装置２から公衆電話回線網３に有線電話回線及び無線電話回線が接続され、所定の通報先、例えばユーザの親族宅２００や消防署３００や警察署４００に緊急事態の発生を知らせるメッセージが送信されるものとなされている。
【００２４】
図２は前記リモコン端末１の正面図である。このリモコン本体１は、通報先選択スイッチ１０と、第１通報指示スイッチ１１と、第２通報指示スイッチ１２と、報知スイッチ１３と、スプリンクラー作動用スイッチ１４と、開錠用スイッチ１５と、パイロットランプ１６とを備えている。
【００２５】
前記通報先選択スイッチ１０は、回転式スイッチからなり、ユーザがこの選択スイッチを回転操作することにより通報先を選択するものであり、この実施形態では、親族あるいは知人、火災（消防署：１１９番）、警察（１１０番）、救急（１１９番）を選択できるようになっている。
【００２６】
前記第１通報指示スイッチ１１及び第２通報指示スイッチ１２は、通報先選択スイッチ１０によりユーザが選択した通報先に、通報を指示するスイッチである。この実施形態では、第１通報指示スイッチ１１及び第２通報指示スイッチ１２は押しボタンスイッチからなり、これらスイッチの両方が同時に押し操作された場合にのみ、通報指示があったと判断されるものとなされている。このように、通報指示スイッチを２個設けて、両方が同時に操作された場合にのみ、通報指示があったと判断するのは、１個の通報指示スイッチのみの場合には、誤ってこのスイッチがＯＮとなった場合にメッセージが送信されるが、２個のスイッチを設けることにより、１個のスイッチのみが誤ってＯＮとなってもメッセージが送信されないようにすると共に、ユーザの確実な通報意志に基づく場合にのみメッセージが送信されるようにして、誤通報の防止を図るためである。
【００２７】
前記報知スイッチ１３は、スライド式スイッチからなり、通報後一定時間経過したときに、恰も警察が急行してきたかのような威嚇用メッセージをスピーカ４（図３に示す）から報知するか否かを設定するスイッチである。
【００２８】
前記スプリンクラー作動用スイッチ１４は、スライド式スイッチからなり、通報先が「火災（消防署）」に設定された状態で通報がなされたときに、家屋１００内に設置したスプリンクラー５（図３に示す）を作動させるか否かを設定するスイッチである。
【００２９】
前記開錠用スイッチ１５は、スライド式スイッチからなり、通報後に家屋１００のドアの電子錠（図３に示す）を開錠するか否かを設定するスイッチである。
【００３０】
前記パイロットランプ１６は、図示しない電池が消耗していない場合に点灯し消耗すると消灯することにより、リモコン端末１が使用可能状態か否かを知らせるものである。
【００３１】
図３は、前記リモコン端末１及び制御装置２の電気的構成を示すブロック図である。
【００３２】
リモコン端末１は、前記通報先選択スイッチ１０、第１通報指示スイッチ１１、第２通報指示スイッチ１２、報知スイッチ１３、スプリンクラー作動用スイッチ１４、開錠用スイッチ１５、パイロットランプ１６の他、ＣＰＵ１７、ＲＯＭ１７ａ、ＲＡＭ１７ｂ及び送信部１８を備えている。
【００３３】
前記ＣＰＵ１７は、リモコン端末１の全体を統括的に制御する。例えば、前記通報先選択スイッチ１０、第１通報指示スイッチ１１、第２通報指示スイッチ１２、報知スイッチ１３、スプリンクラー作動用スイッチ１４、開錠用スイッチ１５の設定内容を読みとって、所定の通報信号を送信する。
【００３４】
前記ＲＯＭ１７ａは、ＣＰＵ１７の動作用プログラムや各種パラメータ等を記憶するものである。前記ＲＡＭ１７ｂは、ＣＰＵ１７の作業領域を構成する。
【００３５】
送信部１８は、ＣＰＵ１７の制御に基づいて、通報信号を無線により制御装置２に送信する。
【００３６】
一方、前記制御装置２は、ＣＰＵ２０、ＲＯＭ２０ａ、ＲＡＭ２０ｂ、受信部２１、メッセージ記録部２２、有線回線用コントローラ２３、無線回線用コントローラ２４、スピーカ作動用出力部２５、スプリンクラー作動用出力部２６、開錠用出力部２７及び電話番号用メモリ２８を備えている。
【００３７】
前記ＣＰＵ２０は、制御装置２０の全体を統括的に制御する。例えば、リモコン端末１から送信されてきた通報信号を解析すると共に、解析した通報信号の内容に応じて、所定のメッセージを指定された通報先に送信したり、スピーカ４、スプリンクラー５、電子錠６を作動させる。
【００３８】
前記ＲＯＭ２０ａは、ＣＰＵ２０の動作用プログラムや各種パラメータ等を記憶するものである。前記ＲＡＭ２０ｂは、ＣＰＵ１７の作業領域を構成する。
【００３９】
前記受信部２１は、前記リモコン端末１の送信部１８から無線送信されてきた通報信号を受信するものである。
【００４０】
前記メッセージ記録部２２は、各通報先に応じたメッセージを予め記録しておくものであり、例えば録音テープや音声信号記録用メモリ等からなる。
【００４１】
前記有線回線用コントローラ２３は、通報信号において指定されている通報先に有線にて電話するために、制御装置２と公衆電話回線網３とを接続するものである。また、無線回線用コントローラ２４は、通報信号において指定されている通報先に無線にて電話するために、制御装置２と公衆電話回線網３とを接続するものである。
【００４２】
スピーカ作動用出力部２５は、リモコン端末１の報知スイッチ１３により威嚇用メッセージの報知が設定されているときに、ＣＰＵ２０の指令に基づいて、そのメッセージをスピーカ４から流すためのスピーカ作動信号を出力するものである。
【００４３】
スプリンクラー作動用出力部２６は、リモコン端末１のスプリンクラー作動用スイッチ１４によりスプリンクラー５を作動させることが設定されているときに、ＣＰＵ２０の指令に基づいて、スプリンクラー作動用信号を出力するものである。
【００４４】
開錠用出力部２７は、リモコン端末１の開錠用スイッチ１５によりドアに備えられた電子錠６の開錠が設定されているときに、ＣＰＵ２０の指令に基づいて、開錠用信号を出力するものである。
【００４５】
電話番号用メモリ２８は、各通報先の電話番号を記憶する。なお、図示は省略したが、ユーザが例えば親族や知人等の電話番号を通報先として電話番号用メモリ２８に入力できるものとなされている。
【００４６】
次に、図１〜図３に示した緊急通報システムＡの動作を、図４及び図５のフローチャートを用いて説明する。
【００４７】
図４は、リモコン端末１のＣＰＵ１７が実行する処理を示すフローチャートである。なお、以下の説明及び図面において、ステップを「Ｓ」と略記する。
【００４８】
ユーザはリモコン端末１の使用に際して、通報先選択スイッチ１０により通報先を選択する。また、通報後に威嚇用メッセージをスピーカ４から報知させる場合には、報知スイッチ１３をオンにしておく。また、火災の場合にスプリンクラー５を作動させたい場合には、スプリンクラー作動用スイッチ１４をオンにしておく。また、通報後、ドアを開錠させたい場合は開錠用スイッチ１５をオンにしておく。
【００４９】
そして、通報時にユーザは第１通報指示スイッチ１１及び第２通報指示スイッチ１２を同時に押してオンにする。
【００５０】
Ｓ１０１では、ＣＰＵ１０が第１通報指示スイッチ１１がオンであるか否かを判断する。オンでなければ（Ｓ１０１の判断がＮＯ）、通報指示はなされていないのでそのまま終了する。オンであれば（Ｓ１０１の判断がＹＥＳ）、Ｓ１０２に進む。
【００５１】
Ｓ１０２では、第２通報指示スイッチ１２がオンであるか否かを判断する。オンでなければ（Ｓ１０２の判断がＮＯ）、通報指示はやはりなされていないのでそのまま終了する。オンであれば（Ｓ１０２の判断がＹＥＳ）、Ｓ１０３に進んで、通報先選択スイッチ１０によって選択されている通報先を読みとる。
【００５２】
このように、第１通報指示スイッチ１１及び第２通報指示スイッチ１２が同時にオンとならない限り、通報先の読み取りが行われないので、一方のスイッチだけがオンとなることによる誤作動を防止することができる。
【００５３】
Ｓ１０３の通報先の読み取り後、Ｓ１０４で、報知スイッチ１３、スプリンクラー作動用スイッチ１４、開錠用スイッチ１５がオンであるかオフであるかを読み取った後、Ｓ１０５で、通報先の情報と、報知スイッチ１３、スプリンクラー作動用スイッチ１４、開錠用スイッチ１５による設定情報とを含む通報信号を、送信部１８を介して制御装置２に無線送信する。
【００５４】
図５は、制御装置２のＣＰＵ２０が実行する処理を示すフローチャートである。
【００５５】
Ｓ２０１において、制御装置２のＣＰＵ２０は、リモコン端末１からの通報信号が受信部２１によって受信されたか否かを判断する。受信されなければ（Ｓ２０１の判断がＮＯ）、処理を終了する。受信されると（Ｓ２０１の判断がＹＥＳ）、Ｓ２０２で、受信した通報信号を解析してユーザが設定した通報先を判別する。次いでＳ２０３で、通報先に対応した電話番号及びメッセージを、電話番号メモリ２８及びメッセージ記録部２２からそれぞれ選択した後、Ｓ２０４に進む。
【００５６】
Ｓ２０４では、通報先が警察か否かを判断する。もし警察であれば（Ｓ２０４の判断がＹＥＳ）、Ｓ２０５で、非通知設定すなわち通報元の電話番号を通報先に知らせないように設定した後、Ｓ２０７に進む。通報先が警察でなければ（Ｓ２０４の判断がＮＯ）、Ｓ２０６で、通知設定すなわち通報元の電話番号を通報先に知らせる設定を行った後、Ｓ２０７に進む。
【００５７】
Ｓ２０７で、ＣＰＵ２０は通報処理を行う。具体的には、有線回線用コントローラ２３を介して有線回線によりＳ２０２で判別した通報先に電話をし、Ｓ２０３で選択したメッセージを流す。同時に、無線回線用コントローラ２４を介して無線回線により同じく通報先に電話をし、同じメッセージを流す。
【００５８】
メッセージとしては、「こちら緊急事態発生、直ちに急行して下さい。住所は○○○○○○○○。名前は△△△△です。これは、本人が電話に出られないため、非常発信機によって行われています。」を例示できる。
【００５９】
メッセージの内容は、各通報先毎に異なるものに設定される。また、望ましくはメッセージは少なくとも複数回（例えば３回）繰り返すのがよい。
【００６０】
また、この実施形態では上述したように、有線回線による電話と無線回線による電話の両方によってメッセージを通報するから、例えば不審侵入者によって有線回線が切断されていても無線回線によって通報することができるし、あるいは一方の回線が故障していても他方の回線を使用することによって通報することができ、確実性、信頼性を高めることができる。
【００６１】
しかも、警察への通報の場合には、Ｓ２０５で非通知設定がなされているから、警察から状況確認等のために折り返しの電話連絡が通報元へなされるのを防止でき、侵入者が警察へ通報されたのを知ることによる状況の悪化を防止することができる。一方、警察以外の通報先に対しては、Ｓ２０６で通知設定がなされているから、直ちにユーザと電話連絡して状況を確認することができる。
【００６２】
通報後、Ｓ２０８でＣＰＵ２０は、通報先が消防署（火災）であるかどうかを判断する。通報先が消防署であれば（Ｓ２０８の判断がＹＥＳ）、Ｓ２０９で、スプリンクラー５の作動がユーザにより設定されているか否か、換言すればリモコン端末１のスプリンクラー作動用スイッチ１４がオンになっているか否かを、通報信号の解析から判断する。スプリンクラー５の作動が設定されていれば（Ｓ２０９の判断がＹＥＳ）、Ｓ２１０で、スプリンクラー作動用出力部２６からスプリンクラー作動信号を出力させた後、Ｓ２１１に進む。これにより、火災の場合には通報後にスプリンクラー５が自動的に作動する。
【００６３】
Ｓ２０８において通報先が消防署でない場合（Ｓ２０８の判断がＮＯ）、及びＳ２０９においてスプリンクラー５の作動が設定されていない場合（Ｓ２０９の判断がＮＯ）は、そのままＳ２１１に進む。
【００６４】
Ｓ２１１では、玄関ドアの開錠がユーザにより設定されているか否か、換言すればリモコン端末１の開錠用スイッチ１５がオンになっているか否かを、通報信号の解析から判断する。開錠が設定されていれば（Ｓ２１１の判断がＹＥＳ）、Ｓ２１２で、開錠用出力部２７から電子錠６に向けて開錠信号を出力させた後、Ｓ２１３に進む。これにより、通報後に玄関ドアが自動的に開錠され、救出隊等の家屋内進入及び救護活動等をスムーズに行うことができる。
【００６５】
Ｓ２１１において玄関ドアの開錠が設定されていない場合（Ｓ２１１の判断がＮＯ）は、そのままＳ２１３に進む。
【００６６】
Ｓ２１３では、侵入者への威嚇用メッセージの報知がユーザにより設定されているか否か、換言すればリモコン端末１の報知スイッチ１３がオンになっているか否かを、通報信号の解析から判断する。報知が設定されていれば（Ｓ２１３の判断がＹＥＳ）、Ｓ２１４で、通報後一定時間が経過しているか否かを判断する。一定時間が経過していなければ（Ｓ２１４の判断がＮＯ）、経過するまで待つ。一定時間が経過すると（Ｓ２１４の判断がＹＥＳ）、Ｓ２１５で、スピーカ作動信号を出力し、威嚇用メッセージをスピーカ４から流して処理を終了する。また、Ｓ２１３で、威嚇用メッセージの報知が設定されていない場合には（Ｓ２１３の判断がＮＯ）、そのまま処理を終了する。
【００６７】
このようにして緊急事態の発生が通報先に通報される。通報を受けた通報先は、パトカー、消防車あるいは救急車を出動させ、現場に急行する。また通報を受けた親族や知人は通報元のユーザ宅に急行する。
【００６８】
以上、本発明の一実施形態を説明したが、この実施形態は、上記実施形態に限定されることはない。
【００６９】
例えば、通報先が警察である場合に、電話回線を非通知設定としたが、通知設定とするとともにメッセージに電話連絡は避けてほしい旨の内容を含ませるものとしても良い。
【００７０】
また、スプリンクラー５や玄関ドアの開錠を、通報後一定時間経過したときに実行する構成としても良い。
【図面の簡単な説明】
【００７１】
【図１】この発明の一実施形態に係る緊急通報システムを用いて通報を行う場合の説明図である。
【図２】緊急通報システムに用いられるリモコン端末の正面図である。
【図３】緊急通報システムの電気的構成を示すブロック図である。
【図４】緊急通報システムのリモコン端末のＣＰＵが行う処理の内容を示すフローチャートである。
【図５】緊急通報システムの制御装置のＣＰＵが行う処理の内容を示すフローチャートである。
【符号の説明】
【００７２】
Ａ      緊急通報システム
１      リモコン端末
２      制御装置
３      公衆電話回線
４      スピーカ
５      スプリンクラー
６      電子錠
１０    通報先選択スイッチ
１１    第１通報指示スイッチ
１２    第２通報指示スイッチ
１３    報知スイッチ
１４    スプリンクラー作動用スイッチ
１５    開錠用スイッチ
１７    ＣＰＵ
１８    送信部（通報信号出力手段）
２０    ＣＰＵ
２１    受信部
２２    メッセージ記録部
２３    有線回線用コントローラ（有線通信手段）
２４    無線回線用コントローラ（無線通信手段）
２５    スピーカ作動用出力部
２６    スプリンクラー作動用出力部
２７    開錠用出力部
【図１】
2005242764.tif 000003
【図２】
2005242764.tif 000004
【図３】
2005242764.tif 000005
【図４】
2005242764.tif 000006
【図５】
2005242764.tif 000007